(57)【要約】      （修正有）【課題】内部の汚れなどにより空気調和設備の消費電力が大きくなることを抑制可能な省エネルギー部材を提供する。【解決手段】第１の面１１０と第２の面とを有し、第１の面と第２の面とを貫通する孔１２０が形成され、第１の素材と、遠赤外線を放射するセラミックスにより成型されているシート状の省エネルギー部材１００であって、空気調和設備の吸気口の外部側に取り付ける。遠赤外線により空気分子が微細化され、内部が汚れなどで空気の通りが悪くなっても熱交換率が改善され、空気調和設備の消費電力が大きくなることを抑制する。【選択図】図１
0003214723.tif 000002
【実用新案登録請求の範囲】
【請求項１】
第１の面と第２の面とを有するシート状の省エネルギー部材であって、
前記第１の面と前記第２の面とを貫通する孔が形成され、
第１の素材と、遠赤外線を放射するセラミックスにより成型される、
省エネルギー部材。
【請求項２】
請求項１に記載の省エネルギー部材において、
前記孔は、格子状に複数形成される、省エネルギー部材。
【請求項３】
請求項１に記載の省エネルギー部材において、
前記第１の素材は、弾性体である、省エネルギー部材。
【請求項４】
請求項１に記載の省エネルギー部材において、
前記孔が円形状である、省エネルギー部材。
【請求項５】
請求項１に記載の省エネルギー部材において、
前記孔が多角形状である、省エネルギー部材。
【考案の詳細な説明】
【技術分野】
【０００１】
本考案は、省エネルギー部材に関する。
【背景技術】
【０００２】
建物内部や、生成食品売り場の陳列棚の空気の温度を調整する空気調和設備が知られている。
【０００３】
このような空気調和設備は、オプションで省エネルギーを達成することができる部品が用意されていたり、設備導入後に新たにオプション部品が用意されたりすることがある。例えば、オプション部品として、空気調和設備の室外機の熱交換器に水を噴霧して熱交換器の熱交換効率を改善する水噴霧式省エネ部品がある。また、空気調和設備の室外機の排気吹出方向を変えて熱交換器の熱交換効率を改善する風向調整部品がある。さらに、空気調和設備の室外機の運転を間欠運転させる省エネルギー制御を行う省エネ制御部品がある。
【０００４】
特開２００７−１９２４８０号公報（特許文献１）には、「室内機の筐体前面に設けられる吸込口と、筐体下部に設けられる吹出口と、筐体内で吸込口と吹出口とを連結する送風経路と、送風経路内に配される送風ファンと、吸込口を塞ぐ第１の位置と吹出口の上端から延びて送風経路の上壁を延長する第２の位置との間を移動可能な可動パネルとを備え、空気調和機の駆動時に可動パネルを第２の位置に配置した。これにより、可動パネルに沿流通する空気が減速して運動エネルギーが静圧に変換され、送風ファンによる静圧上昇を小さくして省エネルギー化を図る」技術が記載されている。
【先行技術文献】
【特許文献】
【０００５】
【特許文献１】特開２００７−１９２４８０号公報
【考案の概要】
【考案が解決しようとする課題】
【０００６】
特許文献１に記載されている技術では、美観を損ねることなく省エネルギー化を図ることができる。しかしながら、特許文献１に記載されている技術では、空気調和設備の内部が汚れなどで空気の通りが悪くなり熱交換効率が悪化した場合に、消費電力が大きくなるという問題があった。
本考案の目的は、内部の汚れなどにより空気調和設備の消費電力が大きくなることを抑制可能な技術を提供することである。
【課題を解決するための手段】
【０００７】
本願において開示される考案のうち、代表的なものの概要を簡単に説明すれば、次の通りである。
【０００８】
本考案の一実施の形態の省エネルギー部材は、第１の面と第２の面とを有するシート状の省エネルギー部材であって、前記第１の面と前記第２の面とを貫通する孔が形成される。また、第１の素材と、遠赤外線を放射するセラミックスにより成型される。
【０００９】
また、本考案の一実施の形態の省エネルギー方法は、第１の面と第２の面とを有するシート状の省エネルギー部材を用いた省エネルギー方法であって、前記省エネルギー部材は、前記第１の面と前記第２の面とを貫通する孔が形成され、第１の素材と、遠赤外線を放射するセラミックスにより成型された前記省エネルギー部材が空気調和設備の吸気口の外部側に取り付けられる。
【考案の効果】
【００１０】
本願において開示される考案のうち、代表的なものによって得られる効果を簡単に説明すれば以下のとおりである。
本考案の代表的な実施の形態によれば、内部の汚れなどにより空気調和設備の消費電力が大きくなることを抑制できる。
【図面の簡単な説明】
【００１１】
【図１】本考案の一実施の形態における省エネルギー部材の外観を示す斜視図である。
【図２】本考案の一実施の形態における省エネルギー部材の平面図である。
【図３】本考案の一実施の形態における省エネルギー部材の底面図である。
【図４】本考案の一実施の形態における省エネルギー部材が空気調和設備に取り付けられる際の作業について説明する図である。
【図５】本考案の一実施の形態における省エネルギー部材を使用した場合の空気流について説明する図である。
【図６】本考案の他の実施の形態における省エネルギー部材の平面図である。
【図７】本考案の他の実施の形態における省エネルギー部材の平面図である。
【図８】本考案の他の実施の形態における省エネルギー部材の平面図である。
【図９】本考案の他の実施の形態における省エネルギー部材の平面図である。
【図１０】本考案の他の実施の形態における省エネルギー部材の平面図である。
【考案を実施するための形態】
【００１２】
以下、本考案の実施の形態を図面に基づいて詳細に説明する。なお、実施の形態を説明するための全図において、同一部には原則として同一の符号を付し、その繰り返しの説明は省略する。
【００１３】
図１は、本考案の一実施の形態における省エネルギー部材１００の外観を示す斜視図である。図２は、本考案の一実施の形態における省エネルギー部材１００の平面図である。図３は、本考案の一実施の形態における省エネルギー部材１００の底面図である。
【００１４】
図１〜図３に示されるように、省エネルギー部材１００は、シート状である。また、省エネルギー部材１００は、四角形状（長方形状）であり、第１の面１１０と、第２の面１３０とを有する。また、省エネルギー部材１００の四隅は円弧形状である。なお、省エネルギー部材１００は、正方形状であっても良い。
また、省エネルギー部材１００には、第１の面１１０と第２の面１３０とを貫通する円形状の孔１２０が格子状に複数形成される。各孔１２０は、左右方向に互いに平行に形成される。また、各孔１２０は、上下方向に互いに平行に形成される。左右方向に隣接する孔１２０の間の距離は、２ｍｍ〜５ｍｍである。また、上下方向に離接する孔１２０の間の距離は、２ｍｍ〜５ｍｍである。そして、４つの孔１２０（互いに左右方向に隣接する２つの孔１２０と、その２つの孔１２０の下方または上方に隣接する２つの孔１２０）に囲われる領域には、面部１４０が形成される。このように面部１４０が形成されることで、面部１４０が形成されることで、省エネルギー部材１００の強度を高めることができる。また、省エネルギー部材１００全体の大きさに対するセラミックの含有量を増加でき、省エネルギー部材１００を小型化しても、空気調和器２００の省エネルギー化を図れる。
また、省エネルギー部材１００全体の面積に対する孔１２０の面積（孔１２０の合計の面積）が占める割合は、６０％〜８０％である。
【００１５】
省エネルギー部材１００には、複数の孔１２０が、列状に並べられて形成される。また、複数の孔１２０の列は、省エネルギー部材１００に互いに平行に並べられて形成される。これによって、図１〜図５に示される例では、省エネルギー部材１００に４列×９行の孔１２０が形成される。
【００１６】
省エネルギー部材１００の長手方向の長さは、３７ｃｍ〜４０ｃｍであり、短手方向の長さは、１７ｃｍ〜２０ｃｍであり、厚みは、１ｍｍ〜５ｍｍである。そして、省エネルギー部材１００の全体に対する孔１２０が占める面積は、４５％〜５５％であり、省エネルギー部材１００の全体に対する孔１２０が形成されていない部分が占める面積は４５％〜５５％である。なお、省エネルギー部材１００の長手方向の長さを、１０ｃｍ〜１００ｃｍとし、短手方向の長さを、５ｃｍ〜１０ｃｍとしても良い。また、省エネルギー部材１００の厚みを、１ｍｍ〜２０ｍｍとしても良い。
【００１７】
省エネルギー部材１００は、第１の素材（弾性体（ポリエチレンや樹脂など）またはプラスチック）と、セラミックス（消臭抗菌作用を有するトリウム系の微量放射性レアーアース鉱物の粉体と常温で遠赤外線を放射するジルコニウム、ジルコニア、アルミナ、シリカなどのセラミックスを混合−粉砕−焼結を繰り返して出来たイオン・遠赤外線発生セラミックス）とにより成型される。すなわち、省エネルギー部材１００は、第１の素材にセラミックスが混入されることで成型され、遠赤外線を照射する。また、省エネルギー素材１００は、曲げ・たわめることができる。なお、上述したように、省エネルギー部材１００の全体に対する孔１２０が占める部分以外の面積を４５％以上とすることで、単位面積あたりのセラミックスの含有量が増加する。また、省エネルギー部材１００の全体に対する孔１２０が形成されている面積を５５％以下とすることで、空気調和設備２００の吸気口から吸気される空気の量を確保しつつ、省エネルギー部材１００全体の大きさに対する単位面積あたりのセラミックスの含有量が増加できる。これによって、省エネルギー部材１００の強度を維持でき、取り付けた際の破損を防止しやすくできる。また、省エネルギー部材１００の面積を小さくしても、空気調和設備２００の省エネルギー化を図れる。また、省エネルギー部材１００の面積を小さくすることで、省エネルギー部材１００の取り付けが容易になるとともに、様々な形状の空気調和設備２００にも取り付けできる。
【００１８】
なお、第１の素材にセラミックスを混入することに替えて、省エネルギー部材１００を弾性体（ポリエチレンや樹脂など）により成型し、第１の面１１０の表面のみをセラミックスによりコーディングするようにしても良い。また、省エネルギー部材１００を弾性体（ポリエチレンや樹脂など）により成型し、第１の面１１０の表面にのみセラミックスを所定の割合（１０％〜９０％）含有させるようにしても良い。
図４は、本考案の一実施の形態における省エネルギー部材１００が空気調和設備２００に取り付けられる際の作業について説明する図である。なお、図４は説明の便宜のため模式的に図示されている。
【００１９】
図４に示されるように、省エネルギー部材１００は、空気調和設備２００の外部側に取り付けられる。図４に示される天井埋め込み式の空気調和設備２００の場合、省エネルギー部材１００は、吸気口カバー２２０が外された後に、吸気口カバー２２０に載置され、その後、吸気口カバーが閉められる。これによって、省エネルギー部材１００は、吸気口カバー２２０と吸気口２１０とに挟み込まれた状態で、空気調和設備２００に取り付けられる。ここで、外部側とは、空気調和設備２００の内部とは逆方向の方面を意味する。
【００２０】
省エネルギー部材１００は、省エネルギー部材１００の第２の面１３０と、空気調和設備２００の吸気口２１０とが対向した状態で空気調和設備２００に取り付けられる。
【００２１】
吸気口カバー２２０を介して吸い込まれる空気は、省エネルギー部材１００の孔１２０を通過した後に、吸気口２１０へと吸気される。その後、空気調和設備２００の内部の熱交換器にて熱交換された後に吹出口２３０から吹き出される。
【００２２】
次に、図５に示されるように、空気には分子３１０が含まれる。省エネルギー部材１００の孔１２０を通過する分子３１０は、省エネルギー部材１００により遠赤外線が照射される。セラミックスから照射される遠赤外線は、分子３１０の振動を活発にする。そして、分子３１０は、より細かい分子３２０へと微細化される。なお、図５は説明の便宜のため模式的に図示されている。
【００２３】
図４に示される例では、空気調和設備２００の吸気口２１０から吸い込まれる空気の分子３１０は、省エネルギー部材１００により遠赤外線が照射される。吸気口２１０の面積は、冷気または暖気を吹き出す吹出口２３０の面積の５倍〜１０倍である。そのため、空気調和設備２００の外部から吸気口２１０へと移動する空気の速度は、吹出口２３０から吹き出される空気の速度の１／５倍〜１／１０倍である。そして、空気調和設備２００の外部から吸気口２１０に吸気されるまでの間、省エネルギー部材１００により照射される遠赤外線により、空気の分子３１０は、より細かい分子３２０へと微細化される。
【００２４】
微細化された分子３２０は、空気調和設備２００の内部が汚れなどで空気の通りが悪くなっている環境であっても、効率的に空調機２００の内部の熱交換器にて熱交換される。これによって、熱交換効率が改善され、空気調和設備２００の省エネルギー化を図れる。
【００２５】
なお、吸気口２１０の面積が省エネルギー部材１００の面積の２倍以上であることがある。この場合、複数の省エネルギー部材１００が、長手方向の辺が互いに隣り合うように並べて吸気口２１０に取り付けられる。これによって、吸気口２１０の面積が省エネルギー部材１００の面積の２倍以上である場合も、より効率的に空気調和設備２００の内部に吸い込まれる空気の分子３１０を細かい分子３２０へと微細化でき、省エネルギー化を図れる。なお、吸気口２１０の形状に応じて、複数の省エネルギー部材１００が、短手方向の辺が互いに隣り合うように並べて吸気口２１０に取り付けられるようにしても良い。
【００２６】
これまでに、天井埋め込み式空気調和設備２００の設定温度を１０．０度とした状態にて、省エネルギー部材１００の効果を確認した例では、省エネルギー部材１００が取り付けられる前では、吹出口２３０から吹き出される空気の温度が６．０度だったのに対し、省エネルギー部材１００が取り付けられた後では、吹出口２３０から吹き出される空気の温度が３．３度へと改善された。このことから、天井埋め込み式の空気調和設備２００に、省エネルギー部材１００が取り付けられることによって熱交換効率が改善（省エネルギー率としては約２６％の改善）できることが分かっている。
【００２７】
上記は、空気調和設備２００が天井埋め込み式である場合について説明したが、他にも空気調和設備２００が壁掛け式である場合もある。その場合、省エネルギー部材１００は、空気調和設備２００のフィルターと吸気口とに挟み込まれた状態で、空気調和設備２００に取り付けられる。
また、空気調和設備２００が床置き式である場合には、省エネルギー部材１００は、床置き式の空気調和設備２００の下部の吸気口に載置される。
【００２８】
また、空気調和設備２００が生鮮食品売り場の商品の陳列棚用のものである場合には、省エネルギー部材１００は、第１の面１１０側から粘着テープが貼付されることで吸気口２１０に固定される。例えば、作業者が、第１の面１１０側から粘着テープを貼付することで省エネルギー部材１００を吸気口２１０に固定する
【００２９】
なお、第２の面１３０の表面を粘着性のある部材でコーディングしても良い。また、第２の面１３０の表面側に粘着シートが設けられるようにしても良い。これによって、テープを貼付することなく、省エネルギー部材１００を空気調和設備２００の吸気口に固定できる。
【００３０】
また、図６に示されるように、省エネルギー部材１００に形成される孔１２１を三角形状にしても良い。この場合、各孔１２１は、長手方向に隣接する三角形状が互い逆向き（１８０°異なる）になるように配置される。
【００３１】
また、図７に示されるように、省エネルギー部材１００に形成される孔１２２を四角形状にしても良い。この場合、各孔１２２は、格子状に並べて省エネルギー部材１００に形成される。
【００３２】
また、図８に示されるように、省エネルギー部材１００に形成される孔１２３を五角形状にしても良い。この場合、各孔１２３は、長手方向に隣接する五角形状が互い逆向き（１８０°異なる）になるように配置される。
【００３３】
また、図９に示されるように、省エネルギー部材１００に形成される孔１２４を六角形状にしても良い。この場合、各孔１２４は、格子状に並べて省エネルギー部材１００に形成される。
【００３４】
また、図１０に示されるように、省エネルギー部材１００に形成される孔１２５を八角形状にしても良い。この場合、各孔１２５は、格子状に並べて省エネルギー部材１００に形成される。
＜本実施の形態の効果＞
【００３５】
以上説明した本実施の形態における省エネルギー部材１００によれば、シート状の省エネルギー部材１００が、第１の素材と、遠赤外線を放射するセラミックスにより成型されることで、空気調和設備２００の内部に吸気される空気を微細化でき、内部が汚れなどで空気の通りが悪くなることよって、空気調和設備２００の消費電力が大きくなることを抑制できる。
【００３６】
以上、本考案者によってなされた考案を実施の形態に基づき具体的に説明したが、本考案は前記実施の形態に限定されるものではなく、その要旨を逸脱しない範囲で種々変更可能であることはいうまでもない。
【００３７】
また、上記した実施の形態は本考案を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００３８】
１００…省エネルギー部材、１１０…第１の面、１２０…孔、１３０…第２の面。
【図１】
0003214723.tif 000003
【図２】
0003214723.tif 000004
【図３】
0003214723.tif 000005
【図４】
0003214723.tif 000006
【図５】
0003214723.tif 000007
【図６】
0003214723.tif 000008
【図７】
0003214723.tif 000009
【図８】
0003214723.tif 000010
【図９】
0003214723.tif 000011
【図１０】
0003214723.tif 000012